(57)【特許請求の範囲】
【請求項１】
フラットケーブルの端末部に接続された端子を収容するコネクタハウジングと、
前記フラットケーブルと前記コネクタハウジングとの間に介装されるシール部材と、
前記コネクタハウジングから延出された前記フラットケーブが挿通される挿通孔を有し、当該挿通孔に前記フラットケーブルを挿通させながら前記コネクタハウジングの基端部に装着されるリアカバーと、
前記リアカバーの挿通孔に挿通された前記フラットケーブルを前記リアカバーとの間で挟持するように前記リアカバーに装着される固定用プレートと、
を備え、
前記リアカバーは、前記挿通孔に挿通される前記フラットケーブルの厚み方向に当該挿通孔を拡開せしめる段部が該挿通孔の開口部に凹設されると共に、前記段部に前記フラットケーブルの延出方向と反対方向に伸びる横溝が凹設されており、
前記固定用プレートは、前記段部との間に前記フラットケーブルを介在させて当該段部に嵌合可能な嵌合部を有すると共に、前記横溝を画成する壁面との間に前記フラットケーブルを介在させて当該横溝に嵌合可能な突部が前記嵌合部に設けられ、
前記固定用プレートを前記リアカバーに装着することにより、前記フラットケーブルが前記挿通孔内で厚み方向および幅方向の変位が規制されて、位置決めされることを特徴とするフラットケーブル用防水コネクタ。
【請求項２】
前記リアカバーが、前記挿通孔に挿通される前記フラットケーブルの厚み方向に当該挿通孔の中間部から伸びる縦溝と、前記フラットケーブルの幅方向に伸びて前記挿通孔および前記縦溝と外部とを連通せしめる連通孔と、を有しており、
前記固定用プレートが、前記連通孔から挿入され、前記縦溝を画成する壁面との間に前記フラットケーブルを介在させて当該縦溝に嵌合可能な挿入片を有していることを特徴とする請求項１に記載のフラットケーブル用防水コネクタ。
【発明の詳細な説明】
【技術分野】
【０００１】
本発明は、例えば、ＦＦＣ（Ｆｌｅｘｉｂｌｅ  Ｆｌａｔ  Ｃａｂｌｅ：フレキシブルフラットケーブル）、リボン電線、等の可撓性を有するフラットケーブルの端末部に取り付けられるフラットケーブル用防水コネクタに関する。
【背景技術】
【０００２】
従来のフラットケーブル用防水コネクタの一例として、図７に示すものが知られている（例えば、特許文献１参照）。
【０００３】
図７には、フラットケーブル用防水コネクタの雄側のコネクタおよび雌側のコネクタが示されている。雄端子２ａが接続されたフラットケーブル１ａの端末部及び雌端子２ｂが接続されたフラットケーブル１ｂの端末部は、それぞれ雄コネクタハウジング５及び雌コネクタハウジング６内に収容されている。
【０００４】
フラットケーブル１ａ，１ｂには、それぞれケーブル長手方向の一部を埋め込んで形成された樹脂成形部３ａ，３ｂが配設されている。樹脂成形部３ａ，３ｂには、それぞれ環状のゴム栓４ａ，４ｂが嵌合されている。
【０００５】
ゴム栓４ａ，４ｂの外周面には周方向に環状の２本のリップが設けられており、ゴム栓４ａ，４ｂは、それらのリップを、雄コネクタハウジング５のケーブル導出部の内周壁面及び雌コネクタハウジング６のケーブル導出部の内周壁面にそれぞれ密着させており、これによりケーブル導出部における防水性が確保されている。
【０００６】
【特許文献１】特開平６−５３２７号公報
【発明の開示】
【発明が解決しようとする課題】
【０００７】
しかしながら、上記した従来のフラットケーブル用防水コネクタでは、例えばフラットケーブル１ａ（尚、フラットケーブル１ｂについても同様である）は、樹脂成形部３ａおよびゴム栓４ａを介して雄コネクタハウジング５のケーブル導出部の周壁に支持されているのみである。
【０００８】
このため、フラットケーブル１ａに引っ張りなどの外力が作用した際には、フラットケーブル１ａは変位しやすい。通常、雄端子２ａは、雄コネクタハウジング５内にて係止されており、よって、フラットケーブル１ａの変位に伴って、フラットケーブル１ａと雄端子２ａとの接続部分に負荷がかかり、当該接続部分の電気的接続に支障をきたす虞があった。
【０００９】
さらに、フラットケーブル１ａを介して環状のゴム栓４ａの軸方向と交差する方向に外力が作用した際には、ゴム栓４ａが変形して、ゴム栓４ａと雄コネクタハウジング５のケーブル導出部の内周壁面との間に隙間が生じ、防水性が低下する虞があった。
【００１０】
本発明は、上述した事情に鑑みてなされたものであり、その目的は、フラットケーブルと端子との電気的接続の信頼性ならびに防水性に優れるフラットケーブル用防水コネクタを提供することにある。
【課題を解決するための手段】
【００１１】
上記目的は、本発明に係る下記（１）〜（４）に記載のフラットケーブル用防水コネクタにより達成される。
【００１２】
（１）  フラットケーブルの端末部に接続された端子を収容するコネクタハウジングと、
前記フラットケーブルと前記コネクタハウジングとの間に介装されるシール部材と、
前記コネクタハウジングから延出された前記フラットケーブが挿通される挿通孔を有し、当該挿通孔に前記フラットケーブルを挿通させながら前記コネクタハウジングの基端部に装着されるリアカバーと、
前記リアカバーの挿通孔に挿通された前記フラットケーブルを前記リアカバーとの間で挟持するように前記リアカバーに装着される固定用プレートと、
を備え、
前記リアカバーは、前記挿通孔に挿通される前記フラットケーブルの厚み方向に当該挿通孔を拡開せしめる段部が該挿通孔の開口部に凹設されると共に、前記段部に前記フラットケーブルの延出方向と反対方向に伸びる横溝が凹設されており、
前記固定用プレートは、前記段部との間に前記フラットケーブルを介在させて当該段部に嵌合可能な嵌合部を有すると共に、前記横溝を画成する壁面との間に前記フラットケーブルを介在させて当該横溝に嵌合可能な突部が前記嵌合部に設けられ、
前記固定用プレートを前記リアカバーに装着することにより、前記フラットケーブルが前記挿通孔内で厚み方向および幅方向の変位が規制されて、位置決めされることを特徴とするフラットケーブル用防水コネクタ。
【００１５】
（２）前記リアカバーが、前記挿通孔に挿通される前記フラットケーブルの厚み方向に当該挿通孔の中間部から伸びる縦溝と、前記フラットケーブルの幅方向に伸びて前記挿通孔および前記縦溝と外部とを連通せしめる連通孔と、を有しており、
前記固定用プレートが、前記連通孔から挿入され、前記縦溝を画成する壁面との間に前記フラットケーブルを介在させて当該縦溝に嵌合可能な挿入片を有していることを特徴とする上記（１）に記載のフラットケーブル用防水コネクタ。
【００１６】
上記（１）に記載のフラットケーブル用防水コネクタによれば、フラットケーブルは、その長手方向において端子との接続部分およびシール部材の手前の位置で、リアカバーと固定用プレートとにより挟持される。このため、フラットケーブルに引っ張りなどの外力が作用した際にも、その力は、リアカバーと固定用プレートとで挟持された部分にて遮断され、端子との接続部分およびシール部材に伝達することがない。これにより、フラットケーブルと端子との電気的接続の信頼性および防水性を確保することができる。そして、フラットケーブルは、リアカバーの挿通孔に通されることで当該リアカバーに位置決めされている状態にあり、よって、固定用プレートをリアカバーに装着してフラットケーブルを挟持するにあたりフラットケーブルがぶれることがなく、固定用プレートを容易に装着することができる。
【００１７】
また、上記（１）に記載のフラットケーブル用防水コネクタによれば、フラットケーブルは、リアカバーの挿通孔の開口部に設けられた段部と固定用プレートの嵌合部とにより、略クランク状に屈曲され、その一部が挿通孔からの延出方向と交差する方向に引き回される。これにより、フラットケーブルに作用した外力を確実に遮断することができる。
【００１８】
また、上記（１）に記載のフラットケーブル用防水コネクタによれば、フラットケーブルは、リアカバーの挿通孔の段部に設けられた横溝と固定用プレートの嵌合部に設けられた突部とにより、さらに略Ｓ字状に屈曲され、その一部が挿通孔からの延出方向と反対方向に引き回される。これにより、フラットケーブルに作用した外力を一層確実に遮断することができる。
【００１９】
上記（２）に記載のフラットケーブル用防水コネクタによれば、フラットケーブルは、リアカバーの縦溝と固定用プレートの挿入片とにより、略Ω字状に屈曲され、その一部が挿通孔からの延出方向と交差する方向に引き回される。これにより、フラットケーブルに作用した外力を確実に遮断することができる。また、略Ω字状に屈曲されたフラットケーブルは、張力が作用した場合にその長手方向および厚み方向に変位して直線状に復元することとなるが、固定用プレートの挿入片はフラットケーブルの幅方向にリアカバーの縦溝に挿入されており、よって、フラットケーブルが強く引っ張られた場合にも固定用プレートがリアカバーから脱落することがない。
【発明の効果】
【００２０】
本発明によれば、フラットケーブルと端子との電気的接続の信頼性ならびに防水性に優れるフラットケーブル用防水コネクタを提供することができる。
【発明を実施するための最良の形態】
【００２１】
以下、本発明に係る好適な実施形態を図面に基づいて詳細に説明する。
図１は本発明に係るフラットケーブル用防水コネクタの第１実施形態の分解斜視図、図２は図１のフラットケーブル用防水コネクタの組立状態における断面図、図３は本発明に係るフラットケーブル用防水コネクタの第２実施形態であって、リアカバーおよび固定プレートの斜視図、図４は図３のリアカバーおよび固定プレートによりフラットケーブルが挟持された状態を示す断面図、図５は本発明に係るフラットケーブル用防水コネクタの第３実施形態であって、リアカバーおよび固定プレートの斜視図、図６は図５のリアカバーおよび固定プレートによりフラットケーブルが挟持された状態を示す断面図である。
【００２２】
（第１実施形態）
図１および図２に示すように、第１実施形態のフラットケーブル用防水コネクタ（以下、単にコネクタという）１０は、厚み方向に互いに離間して平行に配設される２本のＦＦＣ１１の端末部に取り付けられており、ＦＦＣ１１の端末部に接続される複数の端子１２と、複数の端子１２を収容するコネクタハウジング１３と、ＦＦＣ１１とコネクタハウジング１３との間の防水をなすシール部材１４と、コネクタハウジング１３に装着されるリアカバー１５と、リアカバー１５に装着される固定用プレート１６とを備える。
【００２３】
ＦＦＣ１１は、例えば圧延した銅箔等でなる複数本の長尺の導体をベースフィルム間に所定の間隔をおいて並列に挟み込み、一体としたものである。ＦＦＣ１１の端末部には、各導体にそれぞれ電気的に接続される複数の端子１２が接続されている。
【００２４】
端子１２は、その基端部に、ＦＦＣ１１を厚み方向に貫通して内部の導体に電気的に接続されると共にＦＦＣ１１に加締め固定される複数の刃２１を有し、また、その先端部に、不図示の相手側コネクタの端子に接続される電気接続部２２を有している。
【００２５】
ＦＦＣ１１の端末部に接続された複数の端子１２は、コネクタハウジング１３の内部に収容される。コネクタハウジング１３の内部には、複数の端子１２をそれぞれ収容する複数の端子収容室２３が設けられている。複数の端子収容室２３は、２段に配設されるＦＦＣ１１に対応して、２段に配設されている。
【００２６】
コネクタハウジング１３の基端部１３ａには、外部から複数の端子収容室２３の基端側に連通する導入孔２４が設けられている。導入孔２４を通して、２本のＦＦＣ１１の端末部がコネクタハウジング１３の内部に導入され、そして、これらのＦＦＣ１１の端末部にそれぞれ接続された複数の端子１２が複数の端子収容室２３にそれぞれ挿入され収容される。端子収容室２３に収容された端子１２は、端子収容室２３の内部に設けられた弾性係止片２５により電気接続部２２の基端部を係止され、端子収容室２３からの抜脱を阻止されている。
【００２７】
また、コネクタハウジング１３には、複数の端子収容室２３の外周を間隔をおいて取り囲む筒状のフード部２６が設けられている。フード部２６と複数の端子収容室２３との間には、コネクタ１０と相手コネクタとの嵌合の際に、相手コネクタの同様のフード部が進入する。複数の端子収容室２３には環状のシール部材１７が嵌着されており、このシール部材１７は、複数の端子収容室２３の外周壁面および相手コネクタのフード部の内周壁面に密着し、両者の間を防水するものである。
【００２８】
また、複数の端子収容室２３の先端部には、フロントホルダ１８が装着されている。フロントホルダ１８は、その一部（フロントホルダ前側突出部）が弾性係止片２５の撓み空間内に入り込み端子１２を二重に係止している。
【００２９】
シール部材１４には、ＦＦＣ１１の断面形状より若干大きい断面形状に形成された貫通孔が２段に配設されており、シール部材１４は、これらの貫通孔に２本のＦＦＣ１１をそれぞれ挿通させながらコネクタハウジング１３の導入孔２４内に配置され、ＦＦＣ１１のとコネクタハウジング１３の導入孔２４を画成する周壁との間に介装されている。シール部材１４の外周面には、外側に向けて突出する環状のリップが形成され、そして、シール部材１４の貫通孔を画成する周面には、内側に向けて突出する環状のリップが形成されており、これらのリップがコネクタハウジング１３の導入孔２４を画成する周壁面およびＦＦＣ１１の外周面にそれぞれ密着して、ＦＦＣ１１とコネクタハウジング１３との間を防水している。
【００３０】
リアカバー１５には、ＦＦＣ１１の断面形状より若干大きい断面形状に形成された挿通孔２７が２段に配設されており、リアカバー１５は、コネクタハウジング１３の導入孔２４から延出された２本のＦＦＣ１１をこれらの挿通孔２７にそれぞれ挿通させながら、コネクタハウジング１３の導入孔２４を覆うようにコネクタハウジング１３の基端部に装着されている。リアカバー１５の挿通孔２７に挿通されたＦＦＣ１１は、挿通孔２７内で厚み方向および幅方向の変位が規制され、位置決めされた状態にある。
【００３１】
挿通孔２７の開口部２７ａには、挿通孔２７の開口をＦＦＣ１１の厚み方向に拡開せしめる段部２９が凹設されており、そして、段部２９には、挿通孔２７からのＦＦＣ１１の延出方向と反対方向に伸びる横溝３１が凹設されている。２段に配設されている挿通孔２７の開口部２７ａにそれぞれ設けられた段部２９および横溝３１は、２段に配設されている挿通孔２７の中央を通る仮想平面に関して互いに対称とされている。
【００３２】
固定用プレート１６は、ＦＦＣ１１の幅方向にあるリアカバー１５の一方の外側面にヒンジ２８を介して接続されており、リアカバー１５と一体に形成されている。そして、固定用プレート１６は、リアカバー１５の各段部２９との間にＦＦＣ１１を介在させてこの段部２９に嵌合可能な嵌合部３０を一組有し、そして、各嵌合部３０には、対応する段部２９に設けられた横溝３１を画成する壁面との間にＦＦＣ１１を介在させて横溝３１に嵌合可能な突部３２が設けられている。
【００３３】
この固定用プレート１６は、各嵌合部３０および突部３２を対応するリアカバー１５の段部２９および横溝３１にそれぞれ嵌合させて、リアカバー１５に装着されている。２本のＦＦＣ１１は互いに対称に、且つそれぞれは、リアカバー１５の段部２９と固定用プレート１６の嵌合部３０とにより、略クランク状に屈曲され、その一部が挿通孔２７からの延出方向と略直交する方向に引き回され、そしてリアカバー１５の横溝３１と固定用プレート１６の突部３２とにより、さらに略Ｓ字状に屈曲され、その一部が挿通孔２７からの延出方向と反対方向に引き回されて、リアカバー１５と固定用プレート１６との間に屈曲した状態に挟持されている。
【００３４】
以上述べたように、本実施形態のコネクタ１０によれば、ＦＦＣ１１は、その長手方向において端子１２との接続部分およびシール部材１４の手前の位置で、リアカバー１５と固定用プレート１６とにより挟持される。このため、ＦＦＣ１１に引っ張りなどの外力が作用した際にも、その力は、リアカバー１５と固定用プレート１６とで挟持された部分にて遮断され、端子１２との接続部分およびシール部材１４に伝達することがない。これにより、ＦＦＣ１１と端子１２との電気的接続の信頼性およびシール部材１４による防水性を確保することができる。そして、ＦＦＣ１１は、リアカバー１５の挿通孔２７に通されることでリアカバー１５に位置決めされている状態にあり、よって、固定用プレート１６をリアカバー１５に装着してＦＦＣ１１を挟持するにあたりＦＦＣ１１がぶれることがなく、固定用プレート１６を容易に装着することができる。
【００３５】
また、本実施形態のコネクタ１０によれば、ＦＦＣ１１は、リアカバー１５の挿通孔２７の開口部２７ａに設けられた段部２９と固定用プレート１６の嵌合部３０とにより、略クランク状に屈曲され、その一部が挿通孔２７からの延出方向と交差する方向に引き回され、そして、リアカバー１５の挿通孔２７の段部２９に設けられた横溝３１と固定用プレート１６の嵌合部３０に設けられた突部３２とにより、さらに略Ｓ字状に屈曲され、その一部が挿通孔２７からの延出方向と反対方向に引き回される。これにより、ＦＦＣ１１に作用した外力を確実に遮断することができる。即ち、リアカバー１５および固定プレート１６はストレインリリーフとしての機能を果たしている。
【００３６】
また、本実施形態のコネクタ１０においては、固定用プレート１６は、ＦＦＣ１１が延出される側からリアカバー１５に装着され、これら２部材の間でＦＦＣ１１が挟持される構成とされており、換言すれば、フラットケーブルの長手方向に並んで配置された２部材でフラットケーブルを挟持する構成とされている。ここで、フラットケーブルを厚み方向に挟むように配置された２部材で当該フラットケーブルを挟持する保持構造では、フラットケーブルを多段、即ち、複数のフラットケーブルを厚み方向に離間して平行に配置した場合に、各フラットケーブルを挟持する２部材をフラットケーブルの厚み方向に積み上げることとなり、その装着が困難になると共に厚み方向に肥大する虞がある。即ち、フラットケーブルの長手方向に並んで配置された２部材でフラットケーブルを挟持するフラットケーブルの保持構造は、フラットケーブルを多段とした場合にも適用しやすく、コネクタの小型化に寄与するという利点を備えている。
【００３７】
（第２実施形態）
次に、図３および図４を参照して第２実施形態のフラットケーブル用防水コネクタ（以下、単にコネクタと称する）について説明する。尚、本実施形態のコネクタは、上述した第１実施形態のコネクタ１０とリアカバーおよび固定用プレートを異にするのみであり、その他の部材については共通であるので説明を省略する。
【００３８】
図３および図４に示すように、本実施形態のリアカバー３５には、ＦＦＣ１１の断面形状より若干大きい断面形状に形成された挿通孔４７が２段に配設されており、リアカバー３５は、コネクタハウジング１３の導入孔２４から延出された２本のＦＦＣ１１をこれらの挿通孔４７にそれぞれ挿通させながら、コネクタハウジング１３の導入孔２４を覆うようにコネクタハウジング１３の基端部に装着される。リアカバー３５の挿通孔４７に挿通されたＦＦＣ１１は、挿通孔４７内で厚み方向および幅方向の変位が規制されている。
【００３９】
挿通孔４７の開口部には、挿通孔４７の開口をＦＦＣ１１の厚み方向に拡開せしめる段部４９が凹設されている。２段に配設されている挿通孔４７の開口部にそれぞれ設けられた段部４９は、２段に配設されている挿通孔４７の中央を通る仮想平面に関して互いに対称とされている。
【００４０】
そして、本実施形態のコネクタは、ＦＦＣ１１の厚み方向にあるリアカバー３５の両外側面にヒンジ４８を介して接続された２枚の固定用プレート３６を備えている。各固定用プレート３６は、対応するリアカバー３５の段部４９との間にＦＦＣ１１を介在させて段部４９に嵌合可能な嵌合部５０を有している。
【００４１】
これらの固定用プレート３６は、対応するリアカバー３５の段部４９に嵌合部５０をそれぞれ嵌合させて、リアカバー３５に装着されている。２本のＦＦＣ１１は互いに対称に、且つそれぞれは、リアカバー３５の段部４９と固定用プレート３６の嵌合部５０とにより、略クランク状に屈曲され、その一部が挿通孔４７からの延出方向と略直交する方向に引き回されて、リアカバー３５と固定用プレート３６との間に屈曲した状態に挟持されている。
【００４２】
本実施形態のフラットケーブル用防水コネクタは、上述した第１実施形態のフラットケーブル用防水コネクタ１０と同様の効果を奏する。
【００４３】
（第３実施形態）
次に、図５および図６を参照して、第３実施形態のフラットケーブル用防水コネクタ（以下、単にコネクタと称する）について説明する。尚、本実施形態のコネクタは、上述した第１実施形態のコネクタ１０とリアカバーおよび固定用プレートを異にするのみであり、その他の部材については共通であるので説明を省略する。
【００４４】
図５および図６に示すように、本実施形態のリアカバー６５には、ＦＦＣ１１の断面形状より若干大きい断面形状に形成された挿通孔７７が２段に配設されており、リアカバー６５は、コネクタハウジング１３の導入孔２４から延出された２本のＦＦＣ１１をこれらの挿通孔７７にそれぞれ挿通させながら、コネクタハウジング１３の導入孔２４を覆うようにコネクタハウジング１３の基端部に装着される。リアカバー６５の挿通孔７７に挿通されたＦＦＣ１１は、挿通孔７７内で厚み方向および幅方向の変位が規制されている。
【００４５】
そして、リアカバー６５は、各挿通孔７７の中間部からＦＦＣ１１の厚み方向に互いに離間するように伸びる２つの縦溝７９を有している。これら２つの縦溝７９は２段に配設されている挿通孔７７の中央を通る仮想平面に関して互いに対称とされている。さらにリアカバー６５は、ＦＦＣ１１の幅方向に伸びて各縦溝７９および当該縦溝７９が接続している挿通孔７７と外部とを連通せしめる２つの連通孔８２を有している。
【００４６】
本実施形態の固定用プレート６６は、リアカバー６５の各連通孔８２から当該連通孔８２が接続している縦溝７９に挿入され、この縦溝７９を画成する壁面との間にＦＦＣ１１を介在させて当該縦溝７９に嵌合可能な２つの挿入片８０を有している。
【００４７】
固定用プレート６６は、ＦＦＣ１１を介在させながら、各挿入片８０を対応するリアカバー６５の連通孔８２を通して当該連通孔８２が接続している縦溝７９に挿嵌させて、リアカバー６５に装着されている。２本のＦＦＣ１１は互いに対称に、且つそれぞれは、リアカバー６５の縦溝７９と固定用プレート６６の挿入片８０とにより、略Ω字状に屈曲され、その一部が挿通孔７７からの延出方向と略直交する方向に引き回されて、リアカバー６５と固定用プレート６６との間に屈曲した状態に挟持されている。
【００４８】
本実施形態のフラットケーブル用防水コネクタによれば、ＦＦＣ１１は、リアカバー６５の縦溝７９と固定用プレート６６の挿入片８０とにより、略Ω字状に屈曲され、その一部が挿通孔７７からの延出方向と交差する方向に引き回される。これにより、ＦＦＣ１１に作用した張力や外力を確実に遮断することができる。即ち、リアカバー６５および固定プレート６６はストレインリリーフとしての機能を果たしている。また、略Ω字状に屈曲されたＦＦＣ１１は、張力が作用した場合にその長手方向および厚み方向に変位して直線状に復元することとなるが、固定用プレート６６の挿入片８０はＦＦＣ１１の幅方向にリアカバー６５の縦溝７９に挿入されており、よって、ＦＦＣ１１が強く引かれた場合にも固定用プレート６６がリアカバー６５から脱落することがない。その他の効果は、上述した第１実施形態のフラットケーブル用防水コネクタ１０と同様である。
【００４９】
また、本実施形態のフラットケーブル用防水コネクタにおいては、固定用プレート６６は、ＦＦＣ１１の幅方向にあたる側からリアカバー６５に装着され、これら２部材の間でＦＦＣ１１が挟持される構成とされている。このようなフラットケーブルの保持構造は、フラットケーブルを多段とした場合にも適用しやすく、コネクタの小型化に寄与するという利点を備えている。
【００５０】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【図面の簡単な説明】
【００５１】
【図１】本発明に係るフラットケーブル用防水コネクタの第１実施形態の分解斜視図である。
【図２】図１のフラットケーブル用防水コネクタの組立状態における断面図である。
【図３】本発明に係るフラットケーブル用防水コネクタの第２実施形態であって、リアカバーおよび固定プレートの斜視図である。
【図４】図３のリアカバーおよび固定プレートによりフラットケーブルが挟持された状態を示す断面図である。
【図５】本発明に係るフラットケーブル用防水コネクタの第３実施形態であって、リアカバーおよび固定プレートの斜視図である。
【図６】図５のリアカバーおよび固定プレートによりフラットケーブルが挟持された状態を示す断面図である。
【図７】従来のフラットケーブル用防水コネクタの断面図である。
【符号の説明】
【００５２】
１０    フラットケーブル用防水コネクタ
１１    ＦＦＣ（フラットケーブル）
１２    端子
１３    コネクタハウジング
１４    シール部材
１５    リアカバー
１６    固定用プレート
２４    導入孔
２７    挿通孔
２７ａ  開口部
２９    段部
３０    嵌合部
３１    横溝
３２    突部
【図１】
0004667996.tif 000002
【図２】
0004667996.tif 000003
【図３】
0004667996.tif 000004
【図４】
0004667996.tif 000005
【図５】
0004667996.tif 000006
【図６】
0004667996.tif 000007
【図７】
0004667996.tif 000008